(57)【要約】【課題】  通信端末の使用状態を考慮して、通信端末の筐体上の適切な位置に第１のカメラおよび第２のカメラを配置し、使用者にとって使いやすく、利便性の高い通信端末を提供する。【解決手段】  ＰＨＳ電話器のスピーカ３０４が設けられる面に第１のカメラ３０３を配置し、その裏面には第２のカメラを配置することで、２つのカメラが１つの筐体を挟んで配置し、且つ、撮像する方向も正反対になるようにする。そして、いずれで撮影された像も、表示器３０５に表示するようにする。【選択図】  図１
2005269642.tif 000002
【特許請求の範囲】
【請求項１】
音声および映像データの通信を行う通信端末であって、
前記通信端末の筐体上に配置され、音声を出力するスピーカと、
前記通信端末の筐体上で前記スピーカが配置される面に配置される第１のカメラと、
前記通信端末の筐体上で前記第１のカメラが配置される面とは異なる面に配置される第２のカメラと
を有することを特徴とする通信端末。
【請求項２】
音声および映像データの通信を行う通信端末であって、
前記通信端末の筐体上に配置され、映像を表示する表示器と、
前記通信端末の筐体上で前記表示器が配置される面に配置される第１のカメラと、
前記通信端末の筐体上で前記第１のカメラが配置される面とは異なる面に配置される第２のカメラと
を有することを特徴とする通信端末。
【請求項３】
音声および映像データの通信を行う通信端末であって、
前記通信端末の筐体上に配置され、音声を出力するスピーカと、
前記通信端末の筐体上で前記スピーカが配置される面に配置される第１のカメラと、
前記通信端末の筐体上に配置される前記通信端末の電源と、
前記通信端末の筐体上で前記電源が配置される面に配置される第２のカメラとを有することを特徴とする通信端末。
【請求項４】
音声および映像データの通信を行う通信端末であって、
前記通信端末の筐体上に配置され、映像を表示する表示器
前記通信端末の筐体上で前記表示器が配置される面に配置される第１のカメラと、
前記通信端末の筐体上に配置される前記通信端末の電源と、
前記通信端末の筐体上で前記電源が配置される面に配置される第２のカメラと
を有することを特徴とする通信端末。
【請求項５】
前記第１のカメラが配置される面を前記通信端末の筐体の第１の面とし、前記第２のカメラが配置される面を前記通信端末の筐体の第２の面としたときに、前記第１の面と前記第２の面とが前記通信端末の筐体上で表裏の関係となることを特徴とする請求項１乃至４のいずれか１項に記載の通信端末。
【発明の詳細な説明】
【技術分野】
【０００１】
本発明はカメラを有する通信端末に関するものである。
【背景技術】
【０００２】
近年、携帯可能な端末として電話機が急速に普及しつつある。これらの電話機には、例えばパーソナルコンピュータと接続することで、音声のみならず、各種データを転送することが可能なものがあるが、単独で例えば通話相手の顔を見ることができる電話機が望まれるようになってきた。
【０００３】
このような要望に応えるためには、電話機にビデオカメラを装着することが必要になるが、こちらの顔のみを転送する場合であっても、その周りの雰囲気を伝えるために、複数のカメラを装着することが望まれている。
【０００４】
そこで、先ず、カメラ信号処理について、図１５に従って説明する。ブロック１１５が信号処理装置の全体を示しており、レンズ等の光学系１００を通って入射した被写体からの光は、ＣＣＤやＣＭＯＳセンサ等の固体センサ１０１で電気信号に変換される。そして、Ａ／Ｄ変換１０２によってサンプリングされてデジタルデータに変換される。デジタル化された信号出力を色分離回路１０３で、変調成分ＣＲ、ＣＢと輝度成分Ｙを抽出し、これをマトリクス回路１０４によって、Ｒ，Ｇ，Ｂの３原色信号に変換する。これらのＲ，Ｇ，Ｂ信号は乗算器１０５に与えられ、ここでレジスタの係数の値を乗算されることによって白バランスの調整が行われる。次に、ガンマ回路１０６においてガンマ補正された後、
Ｙ＝０．５９Ｒ＋０．３Ｇ＋０．１１Ｂ
によって表されるマトリクス回路１０７によりＹ信号に変換される。次いで、Ｒ信号、Ｂ信号とＹ信号の差を、引き算器で算出し、色信号Ｒ−Ｙ、Ｂ−Ｙ信号を得てる。その後、色の補正を行うリニアマトリクス回路１０８によって色の補正を行い、出力端子１０９にＲ−Ｙ、１１０にＢ−Ｙとして出力される。
【０００５】
一方、輝度信号Ｙの処理は、帯域（解像度）を確保するために、色差の変調成分を抑圧するローバスフィルタ（ＬＰＦ）１１１を通し、レンズ光学系１００等で減衰した特性を補正した後で、アパーチャ補正器１１２を通し、画面のめりはりをつける。その後、ガンマ補正器１１３を通しガンマ補正し、出力端子１１４から出力する。上記各ブロックにおける係数値などは、ＣＰＵ１２０から設定される。
【０００６】
尚、ここでは単一の映像入力の信号処理の例を示したが、図１６において、複数の映像入力の例を説明する。
【０００７】
図中、１６０，１６１はそれぞれ図１５のブロック１１５に相当するブロックであり、１６０は第１の信号処理１、１６１は第２の信号処理２である。それぞれの信号処理１，２が独立のＣＰＵによって制御され、それらのＣＰＵは、ＣＰＵ１６５によって統括制御される。また、信号処理１，２から独立の映像データが出力され、さらに、メモリ１６３に転送するため、ＣＰＵ１６５に制御されたメモリコントローラ１６２により処理が行われる。
【発明の開示】
【発明が解決しようとする課題】
【０００８】
しかしながら、通信端末に複数のカメラを闇雲に装着するのではなく、通信端末の使用状態を考慮して複数のカメラを通信端末の筐体上に配置しなければ、複数のカメラを通信端末に装着する意味がなくなってしまう。
【０００９】
本願発明はかかる問題点に鑑みなされたものであり、通信端末の使用状態を考慮し、使用者にとって使いやすく、利便性の高い通信端末を提供することを目的としている。
【課題を解決するための手段】
【００１０】
この課題を解決するため、例えば本発明の通信端末は以下の構成を備える。すなわち、
音声および映像データの通信を行う通信端末であって、前記通信端末の筐体上に配置され、音声を出力するスピーカと、前記通信端末の筐体上で前記スピーカが配置される面に配置される第１のカメラと、前記通信端末の筐体上で前記第１のカメラが配置される面とは異なる面に配置される第２のカメラとを有することを特徴とする。
【発明の効果】
【００１１】
本発明によれば、通信端末の使用状態を考慮して、通信端末の筐体上の適切な位置に第１のカメラおよび第２のカメラを配置したことにより、使用者にとって使いやすく、利便性の高い通信端末を提供することことができる。
【発明を実施するための最良の形態】
【００１２】
以下、添付図面に従って本発明に係る実施形態の一例を詳細に説明する。
【００１３】
図１は本発明の機能を搭載したビデオフォン装置（実施形態では、カメラ及び表示画面付き携帯型電話機（ＰＨＳ））の外形図であり、同図において３００はビデオフォン本体、３０１はアンテナ、３０２は外部入出力端子、３０３は第１のカメラ、３０４は受信された音声を出力するスピーカ、３０５は受信された映像をあるいはビデオフォン本体で撮影した映像を出力する表示器、３０６は操作キー（ダイヤルキーや、操作スイッチ等が設けられている）、３０７はマイクである。図２は図１のビデオフォンを背面から見た外形図であり、同図３０８は第２のカメラ、３０９はビデオフォン本体の外部電源である。尚、第１のカメラは主として話者の顔を撮影するものであり、第２のカメラは周りの状態を撮影するために用いられる。
【００１４】
図１、図２のビデオフォン３００において、操作者は無線公衆回線網にアクセスするために操作キー３０６の操作をして、アンテナ３０１から無線伝送路に接続して、相手先に接続をする。接続が完了したならば、送信情報として、第１のカメラ３０３と第２のカメラ３０８で撮影されている映像と、マイク３０７の音声と、さらに制御のための諸情報を送信する。一方、接続先から同様の情報が送られてきた場合には、その受信情報中の映像情報が表示器３０５に表示され、音声情報がスピーカ３０４に出力される。また、受信した情報中に含まれる制御情報により、ビデオフォン３００がリモート操作される。これは発信側でも同じであり、接続された後、操作キー３０６中の操作スイッチを操作することで送信される。
【００１５】
表示器３０５は、液晶表示装置が用いられ、通信相手からの映像情報は勿論、第１のカメラ３０３と第２のカメラ３０８で撮影されている映像を表示することも可能である。得られた諸情報は外部入出力端子３０２から入出力することができる。ビデオフォン３００の電源は、バッテリー３０９より供給される。
【００１６】
図３は実施形態におけるビデオフォン３００のブロック構成図である。同図において、２０１は映像を取り込む第１のレンズ、２０２は映像を電気信号に変換する第１の固体センサー（固体撮像素子）、２０３はデジタルデータに変換する第１のＡ／Ｄコンバータ、２０４はレンズ２０１を駆動し焦点を合わせる第１のモータである。上記２０１〜２０４で第１の光学系が構成される。
【００１７】
また、２０５は映像を取り込む第２のレンズ、２０６は映像を電気信号に変換する第２の固体センサー、２０７はデジタルデータに変換する第２のＡ／Ｄコンバータ、２０８はレンズ２０５を駆動する第２のモータであり、これらでもって第２の光学系を構成する。
【００１８】
２０９は音声を取り込み電気信号に変換するマイク、２１０は音声の電気信号を増幅するマイクアンプ、２１１は音声をデジタルデータに変換するＡ／Ｄコンバータ、３０６は図１、図２に示したビデオフォン３００を操作する操作キー、２１３は映像を表示形式にする表示ドライバ、３０５は図１に示したような表示器であり、２１５は音声を出力するためのスピーカドライバ、２１６はスピーカ、２１７は諸情報を入出力する入出力端子、２１８はＰＨＳなどの回線制御を行うＰＨＳインターフェース、２１９は無線データに変換するためのＲＦ回路、２２０はアンテナ、２２１は電源、２３０はビデオフォンシステムを制御するＣＰＵである。
【００１９】
図４は上記図３内のＣＰＵ２３０を示すブロック構成図である。図中、２５１はＣＰＵを動作させるクロック回路、２５２はＣＰＵのコア部分、２５３はプログラムや各種データを格納しているＲＯＭ、２５４はデータを格納するＲＡＭ、２５５は外部メモリなどを制御するメモリコントローラ、２５６はバスを制御するバスコントローラ、２５７は外部入出力とのインターフェースとなるＩ／Ｏコントローラ、２５８はパルスデータを生成するプログラマブルパルスジェネレータ、２５９は外部デバイスと通信制御するためのシリアルコミュニケーションインターフェース、２６０は外部バスとの通信制御するためのエクストラバスコントローラ、２６１はデジタルデータをアナログデータに変換するためのＤ／Ａコンバータ、２６２は表示器を制御するためのディスプレイコントローラ、２６３はデータ転送のためのＤＭＡであり各ブロックはデータバス、アドレスバス、コントロールバスで相互に接続されている。
【００２０】
さて、図３のブロック図において、第１のレンズ２０１を通って入射した被写体からの光は、第１の固体センサ２０２で電気信号に変換される。そして、第１のＡ／Ｄ変換２０３によってサンプリングされてデジタルデータに変換され、第１のデジタル映像信号としてＣＰＵ２３０に入力される。第１のレンズ２０１は、オートフォーカス機能とズーム機能のため、ＣＰＵ２３０の制御命令で第１のモータ２０４の駆動により移動する。また、固体センサ２０２からデータを引き出すためのタイミング信号は、ＣＰＵ２３０により生成される。
【００２１】
同様に、第２のレンズ２０５を通って入射した被写体からの光は、第２の固体センサ２０６で電気信号に変換される。そして、第２のＡ／Ｄ変換２０７によってサンプリングされてデジタルデータに変換され、第２のデジタル映像信号としてＣＰＵ２３０に入力される。第２のレンズ２０５は、オートフォーカス機能とズーム機能のため、ＣＰＵ２３０の制御命令で第２のモータ２０８の駆動により移動する。また、固体センサからデータを引き出すためのタイミング信号は、ＣＰＵ２３０により生成される。音声はマイク２０９より得られた音声信号を、マイクアンプ２１０で増幅され、Ａ／Ｄ変換器２１１によりサンプリングされてデジタルデータに変換されてＣＰＵ２３０に入力される。
【００２２】
第１のデジタル映像信号はＣＰＵ２３０で、色分離、白バランス、ガンマ補正、アパーチャ補正などの基本処理と、ビデオフォン装置２００の操作キー２１２で設定された、画像サイズ、画質調整、位置調整などの付加処理を行う。さらに、設定された圧縮方法と圧縮パラメータによって画像圧縮を行い第１の画像圧縮データを得る。同様に、第２のデジタル映像信号はＣＰＵ２３０で、色分離、白バランス、ガンマ補正、アパーチャ補正などの基本処理と、ビデオフォン装置２００の操作キー２１２で設定された画像サイズ、画質調整、位置調整などの付加処理を行う。さらに、設定された圧縮方法と圧縮パラメータによって画像圧縮を行い、第２の画像圧縮データを得る。音声データは、ビデオフォン装置２００の操作キー２１２で設定された音質調整などの付加を行い、設定された圧縮方法と圧縮パラメータによって音声圧縮データを得る。第１の画像圧縮データ、第２の画像圧縮データと音声圧縮データは、無線伝送データとして再構築され、制御データと共に送信データとしてＰＨＳインターフェース２１８に送られ、通話先に送られる。また、必要に応じて（例えば操作キー３０６中の所定キーの操作に応じて）外部入出力端子２１７にも送られる。さらに、送信画像データ確認用として、必要（操作キー３０６中の所定のキー操作）に応じて、画像圧縮データを伸長して、表示ドライバ２１３を通して、表示器２１４に表示される。
【００２３】
ＰＨＳインターフェース２１８により無線プロトコルに乗せられたデータは、ＲＦ回路２１９により変調され、アンテナ２２０から送信される。一方、アンテナ２２０で受信された無線データは、ＲＦ回路２１９で復調され、ＰＨＳインターフェース２１８により、無線プロトコルで得られた受信データが、ＣＰＵ２３０へと送られる。受信データは、受信制御データ、受信音声圧縮データ、受信画像圧縮データにデータ分離され、受信制御データに従って、ビデオフォン装置２００を制御する。受信音声圧縮データは、伸長されスピーカドライバ２１５を通して、スピーカ２１６に出力される。受信画像圧縮データは、伸長され表示ドライバ２１３を通して、表示器２１４に出力される。ＣＰＵのデータ処理のためＤＲＡＭ、ＳＲＡＭなどの外部メモリ２２２を使用する。この外部メモリ２２２は、撮影した映像、受信した映像、収録した音声、受信した音声などを保管することも可能である。ビデオフォン装置２００の電源は、電源２２１より供給される。
【００２４】
さらに図４の詳細ブロックの動作を説明する。クロック回路２５１にて、ＣＰＵ駆動クロックを生成し、周辺回路に供給する。実施形態では、２７ＭＨｚの基本クロックを、ＰＬＬで１０逓倍して２７０ＭＨｚをＣＰＵの駆動クロックとしている。ＲＯＭ２５３はプログラムコードを格納しているメモリであり、このコードによってプログラムが実行される。このメモリは、フラッシュメモリや、ＥＥＰＲＯＭでも置き換えられる。ＲＡＭ２５４はデータメモリであり、データの一時保管に使われる。メモリコントロール２５５は外部メモリとのインターフェースを行うための回路ブロックであり、外部メモリ２２２は、画像、音声などの大きな一時保管に使われる。ディスプレイコントロール２６２は、デジタル画像データを表示器２１４に送る出力データにデータ変換する回路ブロックである。Ｄ／Ａ２６１は、音声デジタルデータをアナログデータに変換するなどに用いられる。シリアルコミュニケーションインターフェース２５９は、外部周辺回路やＰＨＳインターフェース回路２１８などと、シリアルデータ通信を行う。プログラマブルパルスジェネレータ２５８は、固体センサの駆動パルスやモータ駆動パルスの生成を行う。この時、操作キー３０６を操作することで、固体センサの駆動パルスを所望に設定でき、入力画像のサイズ、画素数などの入力諸条件を任意に設定することも可能である。Ｉ／Ｏコントロール２５７は、データ入出力にインターフェースであり、デジタル画像データ、デジタル音声データ、操作キー、その他制御信号の入出力となる。これらは、バスで接続されており、バスコントロール２５６によってバスを制御して、ＤＭＡ２６３によってデータ転送を行う。またエクストラバスコントロール２６０によって、外部バーストの接続も可能である。これらの周辺回路を用いて、ＣＰＵコア２５２がデータ処理を実行する。
【００２５】
図５は、ＣＰＵ２３０のタイミングチャートの一部である。同図の信号（ａ）はクロック（２７ＭＨｚ）、信号（ｂ）は逓倍されたクロック（２７０ＭＨｚ）、信号（ｃ）はピクセルクロック、信号（ｄ）はＣＰＵの処理内容を示している。
【００２６】
ピクセルクロック（ｃ）は、固体センサを駆動して得られる、画像の単位画素あたりに発生する信号であり、このピクセルクロックのタイミングでＣＰＵが割り込み処理を行う様子を表している。つまり、各ピクセルクロックの立ち下がりで、タスク１としてカメラ１の処理、タスク２としてカメラ２の処理、オーディオ処理、ＰＨＳ処理、画像圧縮処理、オーディオ圧縮処理、その他の処理を行っている。
【００２７】
図６の信号（ｆ）、（ｇ）、（ｈ）は無線伝送のデータ内容とデータ容量を表している。信号（ｆ）、（ｇ）、（ｈ）とも制御ヘッダー、第１の光学系で得られた画像１のヘッダー及び画像データ１、第２の光学系で得られた画像２のヘッダー及び画像データ２、音声のヘッダー、音声データを含んでおり、ビデオフォン装置の設定によって、信号（ｆ）、（ｇ）、（ｈ）の３例のように、各データ内容が変更されていることを表している。各データのデータ内容、データ容量、更新サイクルなどは、ビデオフォン装置の操作者が希望するデータ特性内容を、操作キー３０６により設定した値と、ＣＰＵ２３０が、ＣＰＵへの入力データ量、ＣＰＵのデータ処理能力、無線プロトコル、無線伝搬状態、相手先の処理能力などを計測して、ＣＰＵの処理環境と伝送形態などを最適化する。信号（ｆ）は信号（ｇ）に対して、画像データ１のデータ量を画像データ２のデータ量に比較して、優先している。信号（ｈ）は信号（ｆ）、信号（ｇ）に対して、各データの更新サイクルを優先している。
【００２８】
図７〜図１１はＣＰＵ２３０の処理内容（ＲＯＭ２５３に格納されているプログラム）の一部の処理手順（フローチャート）を示している。
【００２９】
図７はイニシャルリセットからメインルーチンであり、ステップＳ１００にてリセットスタートして、ステップＳ１０１にて内部レジスタ及び周辺回路などをイニシャライズする。ステップＳ１０２で画像、音声関連の設定を行う。この例では、カメラ１（第１の光学系）の処理は、信号処理関連のパラメータセット、圧縮方式：ＪＰＥＧ、入力画素サイズ：６４０×４８０、圧縮処理画素数：３２０×２４０、出力データサイズ：２０Ｋbytes／１field、フレームレート：５frame／sec、画像表示位置：全画面などを設定する。同様に、カメラ２（第２の光学系）関連の各種パラメータをフローチャートのように設定する。音声に関しても、圧縮方式：ＡＤＰＣＭ、モード：ステレオ、出力データサイズ：２００bytes／１field、サンプリング周波数：３２ＫＨｚなどを設定する。さらに、画面モードとして、カメラ１とカメラ２の画角比率を設定する。
【００３０】
ステップＳ１１０にて、ＣＰＵ２３０は、上記諸設定と、ＣＰＵのデータ処理能力、無線プロトコル、無線伝搬状態、相手先の処理能力などを計測して、ＣＰＵの処理環境と伝送形態を最適化する。その後、ステップＳ１０３にて無線コネクションを行う。コネクションが確立されたなら、ステップＳ１０４で送受信を開始してメインルーチンに入る。そして、ステップＳ１０５で各種設定が変更されたかをチェックして、変更されていなければ、ステップＳ１０７でその他の処理を行い、ステップＳ１０８で終了かチェックを行い、終了でなければステップＳ１０５へ戻り、上記処理を繰り返す。また、終了であればステップＳ１０９で終了動作を行う。尚、ステップＳ１０５で諸設定が変更されていればステップＳ１０６に移り、設定変更ルーチンで設定変更を行い、ステップＳ１１０の最適化を再度行いステップＳ１０５に戻ることになる。
【００３１】
図１１はカメラ信号処理関連のタスクで、色分離を行い、色信号系では、ＲＧＢ変換、白バランス調整、ガンマ補正、色調整などを行い、輝度信号系では、ＬＰＦ、アパーチャ補正、ガンマ補正、輝度調整などを行う。このタスクは、図７の処理とは別個に行われているものである。
【００３２】
図８は図５の信号（ｄ）で示したタイミングで処理されるピクセルクロック割り込みルーチンである。図１１で示した各カメラの信号処理を行い、各カメラの圧縮処理と音声の圧縮処理を行う。
【００３３】
図９はＰＨＳインターフェースによる割り込みルーチンである。ステップＳ３０１で、データ送信系のデータフレーム生成などの処理を行う。ステップＳ３０２ではデータ受信系の、データフレームの分離、画像データの伸長、音声データの伸長、画像データ表示のためのデータセット、音声データ出力のためのデータセット、受信制御データの解析と実行などを行う。
【００３４】
図１０はその他の処理で、オートフォーカス制御、Ａ／Ｅ制御、操作キーの入力、モード制御などを、ＣＰＵの各割り込み処理の間に行う。
【００３５】
図１２は実施形態における表示器２１４の表示例である。同図（ａ）の画面６００は受信された相手方のカメラ１の画像、画面６０１は受信された相手方のカメラ２の画像である。また同図（ｂ）は、送信側あるいは受信側のビデオフォン装置の操作から、同図（ａ）の画面表示が変更されたことを示しており、受信された相手方のカメラ１の画像が画面６０３に、受信された相手方のカメラ２の画像が画面６０２に変更されたことを示している。つまり、操作キーを操作することで、相手先から送られ表示器２１４のほぼ全面に表示する映像と、その中に縮小されて表示される映像とを交互に切り替えることが可能になっており、受信側ではその指示コマンドを操作キーの操作に応じて発行するのみで対処できる。
【００３６】
図１３は図１２の画面切り替えを行った時のシーケンスチャートであり、画像送信側のビデオフォン装置の操作キーで動作を実行した場合を示している。画像送信側のビデオフォン装置の操作キーの操作入力が行なわれてから、各設定値を変更し、画像処理変更後に送信画面が切り替わる。
【００３７】
図１４は図１２の画面切り替えを行った時のシーケンスチャートであり、画像受信側のビデオフォン装置の操作キーで動作を実行した場合を示している。画像受信側のビデオフォン装置の操作キーの操作入力が行われてから、送信側に画像変更要求を発行して、これを受理した場合、送信側は各設定値を変更し、画像処理変更後に送信画像を切り替える。
【００３８】
このように、送り側で２つのカメラの合成映像を生成し１つの映像データとして送信する。この結果、１画面分の映像データ量に相当する分の映像データのみのデータ量の転送で済むことになる。
【００３９】
尚、ここでは第１と第２のカメラの２つのカメラを説明したが、３つ以上のカメラ入力においても、ＣＰＵが、ＣＰＵへの入力データ量、ＣＰＵのデータ処理能力、無線プロトコル、無線伝搬状態、相手先の処理能力などを計測して、ＣＰＵの処理環境と伝送形態などを最適化することにより、同様の処理方法を拡張することによって実施可能である。
【００４０】
上記の実施形態により、複数の映像入力を持つビデオフォン装置を、１つのＣＰＵで集中管理し、時間分割処理を行うことによって、効率よく、最適な処理が行える。また、複数の映像入力のサイズ、画質などの異なった特性のデータを効率よく、操作者の変更要求に対して自由自在に、かつ最適に変更できるようになるなどの効果がある。
【００４１】
以上説明したように本実施形態によれば、複数の映像入力に対して１つの制御ユニットで集中管理することで、効率がよく、最適な処理が行えることで、低消費電力化、小型化、低コストをはかることができ、携帯するビデオフォン装置として機能させることが可能になる。また、複数の映像入力のサイズ、画質などの異なった特性のデータを、効率よく処理することができるので、操作性に優れるという効果もある。
【図面の簡単な説明】
【００４２】
【図１】実施形態におけるビデオフォン装置の外観図である。
【図２】図１のビデオフォン装置の背面図である。
【図３】実施形態におけるビデオフォン装置のブロック構成図である。
【図４】図３におけるＣＰＵ部分のブロック構成図である。
【図５】実施形態における動作を説明するためのタイミングチャートである。
【図６】実施形態における動作を説明するためのタイミングチャートである。
【図７】実施形態における動作処理内容を示すフローチャートである。
【図８】実施形態における動作処理内容を示すフローチャートである。
【図９】実施形態における動作処理内容を示すフローチャートである。
【図１０】実施形態における動作処理内容を示すフローチャートである。
【図１１】実施形態における動作処理内容を示すフローチャートである。
【図１２】実施形態における表示例を示す図である。
【図１３】実施形態におけるシーケンスを示す図である。
【図１４】実施形態におけるシーケンスを示す図である。
【図１５】一般の光学部のブロック構成図である。
【図１６】２つの光学部を有するようにした場合のブロック構成図である。
【符号の説明】
【００４３】
３００  ビデオフォン本体
３０１  アンテナ
３０２  外部入出力端子
３０３  第１のカメラ
３０４  スピーカ
３０５  表示器
３０６  操作キー
３０７  マイク
３０８  第２のカメラ
３０９  電源
２０１  第１のレンズ
２０２  第１の固体センサー
２０３  第１のＡ／Ｄコンバータ
２０４  第１のモータ
２０５  第２のレンズ
２０６  第２の固体センサー
２０７  第２のＡ／Ｄコンバータ
２０８  第２のモータ
２０９  マイク
２１０  マイクアンプ
２１１  Ａ／Ｄコンバータ
２１３  表示ドライバ
２１５  スピーカドライバ
２１６  スピーカ
２１７  入出力端子
２１８  ＰＨＳインターフェース
２１９  ＲＦ回路
２２０  アンテナ
２２１  電源
２３０  ＣＰＵ
【図１】
2005269642.tif 000003
【図２】
2005269642.tif 000004
【図３】
2005269642.tif 000005
【図４】
2005269642.tif 000006
【図５】
2005269642.tif 000007
【図６】
2005269642.tif 000008
【図７】
2005269642.tif 000009
【図８】
2005269642.tif 000010
【図９】
2005269642.tif 000011
【図１０】
2005269642.tif 000012
【図１１】
2005269642.tif 000013
【図１２】
2005269642.tif 000014
【図１３】
2005269642.tif 000015
【図１４】
2005269642.tif 000016
【図１５】
2005269642.tif 000017
【図１６】
2005269642.tif 000018